(57)【要約】【課題】設置面の凹所周辺部に、該凹所の開口部を塞ぐ開閉蓋を載置させ、その設置面上に固定した支持枠に、開閉蓋の外周端部に係合し得る止め具を着脱可能に取付けた開閉蓋の外れ止め装置において、工具を用いることなく止め具を支持枠にワンタッチで簡単に脱着できるようにし、開閉蓋の開閉作業の能率向上を図る。【解決手段】止め具Ｓは、これが開閉蓋Ｔに係合する押え位置Ｓ１と、同開閉蓋Ｔを解放する解放位置Ｓ２との間を回動し得るように回動連結部Ｐを介して支持枠Ｍに連結され、その回動連結部Ｐは、止め具Ｓが解放位置Ｓ２にあるときには該止め具Ｓの支持枠Ｍからの離脱を許容するが押え位置Ｓ１にあるときには前記離脱を阻止するよう構成され、止め具Ｓと支持枠Ｍとの間には、該止め具Ｓを押え位置Ｓ１に保持し得るよう該止め具Ｓを支持枠Ｍに係脱可能に係止させる係止機構Ｅが設けられる。【選択図】図３
2007186932.tif 000002
【特許請求の範囲】
【請求項１】
設置面（Ｆ）の凹所（Ｏ）周辺部に、該凹所（Ｏ）の開口部を塞ぐ開閉蓋（Ｔ）を載置させ、その設置面（Ｆ）上に固定した支持枠（Ｍ）に、前記開閉蓋（Ｔ）が外れないよう該開閉蓋（Ｔ）の外周端部に係合し得る止め具（Ｓ）を着脱可能に取付けてなる、開閉蓋の外れ止め装置において、
前記止め具（Ｓ）は、これが前記開閉蓋（Ｔ）に係合する押え位置（Ｓ１）と、同開閉蓋（Ｔ）を解放する解放位置（Ｓ２）との間を回動し得るように回動連結部（Ｐ）を介して前記支持枠（Ｍ）に連結され、
その回動連結部（Ｐ）は、前記止め具（Ｓ）が前記解放位置（Ｓ２）にあるときには該止め具（Ｓ）の前記支持枠（Ｍ）からの離脱を許容するが前記押え位置（Ｓ１）にあるときには前記離脱を阻止するよう構成され、
前記止め具（Ｓ）と前記支持枠（Ｍ）との間には、該止め具（Ｓ）を前記押え位置（Ｓ１）に保持し得るよう該止め具（Ｓ）を前記支持枠（Ｍ）に係脱可能に係止させる係止機構（Ｅ）が設けられることを特徴とする、開閉蓋の外れ止め装置。
【請求項２】
前記係止機構（Ｅ）は、前記止め具（Ｓ）と前記支持枠（Ｍ）の何れか一方に設けた被係止部（Ｅａ）と、その何れか他方に設けた弾性係止爪（Ｅｂ）とで構成されていて、その係止爪（Ｅｂ）の弾性変形により該係止爪（Ｅｂ）が被係止部（Ｅａ）に係脱可能であることを特徴とする、請求項１に記載の開閉蓋の外れ止め装置。
【請求項３】
前記回動連結部（Ｐ）は、前記止め具（Ｓ）の基部と前記支持枠（Ｍ）の基部のうちの何れか一方に設けた係合凸部（Ｐａ）と、その何れか他方に設けた係合凹部（Ｐｂ）とより構成され、
その係合凸部（Ｐａ）は、前記止め具（Ｓ）の回動支点となる回動支点部（５）と、その回動支点部（５）の一側に連設される係止爪部（６）とを備え、
前記係合凹部（Ｐｂ）は、前記回動支点部（５）を抜差可能に受容すると共に該回動支点部（５）の回動を案内する案内孔部（７）と、その案内孔部（７）の内面（７ｈ）に直接開口して前記係止爪部（６）が係脱し得る係合孔部（８）とを備え、
前記係止爪部（６）及び前記係合孔部（８）は、前記止め具（Ｓ）が前記解放位置（Ｓ２）にあるときには該係止爪部（６）の少なくとも一部が前記係合孔部（８）から抜け出して前記回動支点部（５）の前記案内孔部（７）からの離脱を許容し、また同止め具（Ｓ）が前記押え位置（Ｓ１）にあるときには該係止爪部（６）の少なくとも一部が前記係合孔部（８）に留まっていて前記離脱を阻止する形状に形成されることを特徴とする、請求項１又は２に記載の開閉蓋の外れ止め装置。
【請求項４】
前記回動支点部（５）は、横断面扇形をなしていて該扇の要部分が前記止め具（Ｓ）の回動中心位置に在り、前記係止爪部（６）は、横断面が前記扇の外周部に連なる円弧状に形成されていて外周面（６ｒ）が該扇の外周面（５ｒ）と面一に連続した円弧面をなしており、
前記回動支点部（５）における前記扇の外周面（５ｒ）に摺接する前記案内孔部（７）の内側面（７ｒ）と、前記係止爪部（６）の外周面（６ｒ）に摺接する前記係合孔部（８）の内側面（８ｒ）とが、面一に連続した円弧面をなしていることを特徴とする、請求項３に記載の開閉蓋の外れ止め装置。
【請求項５】
前記支持枠（Ｍ）の基部には、前記開閉蓋（Ｔ）の外周端部裏面を載置させる弾性シート（３）付きの座面が設けられ、また前記止め具（Ｓ）の先部の裏面には、前記開閉蓋（Ｔ）の外周端部表面を当接させる弾性シート（４）付きの押え面が設けられることを特徴とする、請求項１〜４の何れかに記載の開閉蓋の外れ止め装置。
【発明の詳細な説明】
【技術分野】
【０００１】
本発明は、凹所（例えば排水溝等の凹溝や、マンホール等の凹孔、液槽の内部空間）を有する設置面（例えば地面、建物の天井面や床面等、液槽の上面）の凹所周辺部に、該凹所の開口部を塞ぐ開閉蓋を載置させ、その設置面上に、開閉蓋が外れないよう該開閉蓋の外周端部に外側から係合し得る止め具を着脱可能に取付けてなる、開閉蓋の外れ止め装置に関する。
【背景技術】
【０００２】
従来、上記開閉蓋の外れ止め装置においては、開閉蓋が外力や風等により妄りに外れないようにするために、例えば、図５（Ａ）に例示したように、設置面に植設したアンカーボルトに止め具をナットで直接締着するか、或いは、図５（Ｂ）に例示したように、設置面に固着した支持枠に止め具をボルトで締着するようにしたものが知られている。
【発明の開示】
【発明が解決しようとする課題】
【０００３】
しかしながら上記従来構造では、凹所内の点検等のために開閉蓋を開閉する際にその都度、止め具を締着していたナット又はボルトを弛めて止め具を脱着する必要があり、そのナット又はボルトを弛め、或いは再度締め付ける作業は、工具が特別に必要であって面倒且つ時間を要するものである。従って、開閉蓋を開閉する作業の能率が非常に悪く、またその開閉作業に人手も多く必要として人件費が嵩む等の問題があった。
【０００４】
本発明は、斯かる事情に鑑みてなされたものであり、工具を用いることなく止め具をワンタッチで簡単に脱着できるようにして、上記従来構造の問題を一挙に解決できるようにした、開閉蓋の外れ止め装置を提供することを目的とする。
【課題を解決するための手段】
【０００５】
上記目的を達成するために請求項１の発明は、設置面の凹所周辺部に、該凹所の開口部を塞ぐ開閉蓋を載置させ、その設置面上に固定した支持枠に、前記開閉蓋が外れないよう該開閉蓋の外周端部に係合し得る止め具を着脱可能に取付けてなる、開閉蓋の外れ止め装置において、前記止め具は、これが前記開閉蓋に係合する押え位置と、同開閉蓋を解放する解放位置との間を回動し得るように回動連結部を介して前記支持枠に連結され、その回動連結部は、前記止め具が前記解放位置にあるときには該止め具の前記支持枠からの離脱を許容するが前記押え位置にあるときには前記離脱を阻止するよう構成され、前記止め具と前記支持枠との間には、該止め具を前記押え位置に保持し得るよう該止め具を前記支持枠に係脱可能に係止させる係止機構が設けられることを特徴とする。
【０００６】
また請求項２の発明は、請求項１の上記特徴に加えて、前記係止機構は、前記止め具と前記支持枠の何れか一方に設けた被係止部と、その何れか他方に設けた弾性係止爪とで構成されていて、その係止爪の弾性変形により該係止爪が被係止部に係脱可能であることを特徴とする。
【０００７】
また請求項３の発明は、請求項１又は２の上記特徴に加えて、前記回動連結部は、前記止め具の基部と前記支持枠の基部のうちの何れか一方に設けた係合凸部と、その何れか他方に設けた係合凹部とより構成され、その係合凸部は、前記止め具の回動支点となる回動支点部と、その回動支点部の一側に連設される係止爪部とを備え、前記係合凹部は、前記回動支点部を抜差可能に受容すると共に該回動支点部の回動を案内する案内孔部と、その案内孔部の内面に直接開口して前記係止爪部が係脱し得る係合孔部とを備え、前記係止爪部及び前記係合孔部は、前記止め具が前記解放位置にあるときには該係止爪部の少なくとも一部が前記係合孔部から抜け出して前記回動支点部の前記案内孔部からの離脱を許容し、また同止め具が前記押え位置にあるときには該係止爪部の少なくとも一部が前記係合孔部に留まっていて前記離脱を阻止する形状に形成されることを特徴とする。
【０００８】
また請求項４の発明は、請求項３の上記特徴に加えて、前記回動支点部は、横断面扇形をなしていて該扇の要部分が前記止め具の回動中心位置に在り、前記係止爪部は、横断面が前記扇の外周部に連なる円弧状に形成されていて外周面が該扇の外周面と面一に連続した円弧面をなしており、前記回動支点部における前記扇の外周面に摺接する前記案内孔部の内側面と、前記係止爪部の外周面に摺接する前記係合孔部の内側面とが、面一に連続した円弧面をなしていることを特徴とする。
【０００９】
また請求項５の発明は、請求項１〜４の何れかの上記特徴に加えて、前記支持枠の基部には、前記開閉蓋の外周端部裏面を載置させる弾性シート付きの座面が設けられ、また前記止め具の先部の裏面には、前記開閉蓋の外周端部表面を当接させる弾性シート付きの押え面が設けられることを特徴とする、請求項１〜４の何れかに前記下板本体の四辺の各側縁部には、前記上板の四辺に対応した下向きフランジ部の内面にそれぞれ当接する上向きフランジ部がそれぞれ一体に連設され、それら上向きフランジ部と、該上向きフランジ部に対応する前記下向きフランジ部とが、その両フランジ部間に設けた結合手段を介して一体的に結合されることを特徴とする。
【発明の効果】
【００１０】
以上のように本発明によれば、止め具は、開閉蓋に係合する押え位置と、同開閉蓋を解放する解放位置との間を回動し得るように回動連結部を介して支持枠に連結され、その回動連結部は、止め具が解放位置にあるときには該止め具の支持枠からの離脱を許容するが押え位置にあるときには前記離脱を阻止するよう構成され、止め具と支持枠との間には、該止め具を押え位置に保持し得るよう該止め具を支持枠に係脱可能に係止させる係止機構が設けられるので、開閉蓋を設置面上に載せ、止め具を解放位置から押え位置まで回動させて係止機構で止め具を支持枠に係止させるだけで、止め具、延いては開閉蓋の固定を簡単に行うことができ、また前記係止を解除して止め具を押え位置から解放位置まで回動させるだけで該止め具を支持枠から簡単に離脱させることができる。以上により、工具を用いることなく止め具を支持枠にワンタッチで簡単に脱着可能となり、開閉蓋の開閉作業の能率向上に大いに寄与することができる。
【００１１】
また特に請求項２の発明によれば、係止機構は、止め具と支持枠の何れか一方に設けた被係止部と、その何れか他方に設けた弾性係止爪とで構成され、その係止爪の弾性変形により該係止爪が被係止部に係脱可能であるので、その係止爪の弾性変形を利用して係止機構の係脱操作を簡単且つ的確に行うことができる。しかも止め具の支持枠からの外れ方向の外力は、上記回動連結部で受け止められるため、係止爪と被係止部との係合部の荷重負担が軽減され、それらの耐久性向上に寄与することができる。
【００１２】
また特に請求項３の発明によれば、止め具の基部と支持枠部の基部のうちの何れか一方に設けた係合凸部が、止め具に対する回動支点と支持枠に係脱させる係止爪とに兼用されると共に、その何れか他方に設けた係合凹部が、該回動支点部を抜差可能に受容すると共に該回動支点部の回動を案内する案内孔と、該係止爪部が係脱し得る係合孔とに兼用されるため、脱着に関して方向性を持たせた止め具の回動連結部が簡単な構造で得られ、部品点数の低減によるコスト節減や脱着作業性の向上に寄与することができる。
【００１３】
また特に請求項４の発明によれば、回動支点部は、横断面扇形をなしていて該扇の要部分が止め具の回動中心位置に在り、係止爪部は、横断面が前記扇の外周部に連なる円弧状に形成されていて外周面が該扇の外周面と面一に連続した円弧面をなしており、回動支点部における前記扇の外周面に摺接する案内孔部の内側面と、係止爪部の外周面に摺接する係合孔部の内側面とが、面一に連続した円弧面をなしているので、上記係合凸部及び係合凹部の形状単純化が図られ、コスト節減や脱着作業性の向上に一層寄与し得る。
【００１４】
また特に請求項５の発明によれば、支持枠の基部には、開閉蓋の外周端部裏面を載置させる弾性シート付きの座面が設けられ、また止め具の先部の裏面には、開閉蓋の外周端部表面を当接させる弾性シート付きの押え面が設けられるので、止め具のセット状態では開閉蓋を、支持枠基部の座面と止め具先部の押え面との間でガタなく強固に保持することができ、しかもその保持部のシール性が弾性シートにより良好に保たれる。
【発明を実施するための最良の形態】
【００１５】
本発明の実施の形態を、添付図面に例示した本発明の実施例に基づいて以下に具体的に説明する。
【００１６】
添付図面において、図１〜図３は本発明の第１実施例を示すものであって、図１は、溝蓋のピット溝へのセット状態を示す一部破断斜視図、図２は、溝蓋の平面図（図１の２矢視拡大図）、図３は、図２の３−３線拡大断面図である。また図４は、本発明の第２実施例を示す、図３に対応した断面図である。
【００１７】
先ず、図１〜図３に示す第１実施例において、地面Ｆには横断面Ｕ字状のピット溝Ｏが設けられており、このピット溝Ｏが本発明の凹所を、また地面Ｆが設置面をそれぞれ構成する。その地面Ｆのピット溝Ｏ周辺部（図示例では左右両側部）には、該ピット溝Ｏの開口部を塞ぐ開閉蓋Ｔの左右両側部がそれぞれ載置されており、ピット溝Ｏの開口部の左右両側部に沿って地面Ｆにアンカーボルト１及びナット２で固定した金属製の支持枠Ｍに、開閉蓋Ｔが外れないよう開閉蓋Ｔの外側端部に外側から係合し得る止め具Ｓが着脱可能に取付けられる。
【００１８】
前記支持枠Ｍは、開放面をピット溝Ｏ側に向けた横断面コ字状に形成される起立枠部Ｍｍと、その起立枠部Ｍｍの下端部に一体に連設されてピット溝Ｏ側およびその反対側にそれぞれ水平に延びる内枠部Ｍｉおよび外枠部Ｍｏとで横断面逆Ｔ字状に形成される。その内枠部Ｍｉの上面は、そこに弾性シート３が接合されていて、開閉蓋Ｔの外側端部裏面を載置させるシート付き座面とされる。また前記外枠部Ｍｏには適宜間隔をおいてボルト孔が穿設され、そのボルト孔に前記アンカーボルト１が挿通され、これに螺合したナット２で該外枠部Ｍｏが地面Ｆに重合、固定される。
【００１９】
前記止め具Ｓは、これが開閉蓋Ｔの左右両側部上面に係合する押え位置Ｓ１（図３実線位置）と、同開閉蓋Ｔを解放する解放位置Ｓ２（図３鎖線位置）との間を回動し得るように回動連結部Ｐを介して支持枠Ｍに連結されるものであって、図示例では支持枠Ｍの起立枠部Ｍｍに沿う縦板部Ｓｂと、その縦板部Ｓｂの上端よりピット溝Ｏ側に水平に延びる横板部Ｓａとを一体化した横断面Ｌ字状の板材より構成される。そして、止め具Ｓの先部、即ち横板部Ｓａの裏面は、そこに弾性シート４が接合されていて、開閉蓋Ｔの外側端部上面を当接させるシート付き押え面とされる。
【００２０】
止め具Ｓの前記回動連結部Ｐは、止め具Ｓが前記解放位置Ｓ２にあるときには該止め具Ｓの支持枠Ｍからの離脱を許容するが前記押え位置Ｓ１にあるときには前記離脱を阻止するよう構成されており、その止め具Ｓと支持枠Ｍとの間には、該止め具Ｓを前記押え位置Ｓ１に保持し得るよう該止め具Ｓを支持枠Ｍに係脱可能に係止させる係止機構Ｅが設けられる。
【００２１】
その係止機構Ｅは、止め具Ｓと支持枠Ｍの何れか一方（図示例では支持枠Ｍの起立枠部Ｍｍの上端部）に一体に設けた上向き突起状の被係止部Ｅａと、その何れか他方（図示例では止め具Ｓの横板部Ｓａの基部内面）に一体に設けた下向き突起状の弾性係止爪Ｅｂとで構成されていて、その係止爪Ｅｂの弾性変形により該係止爪Ｅｂが被係止部Ｅａに係脱できるようになっている。尚、弾性係止爪Ｅｂは、図示例のように止め具Ｓの長手方向に間隔をおいて複数個、形成してもよいし、或いは止め具Ｓの長手方向に長く帯状に形成してもよい。
【００２２】
前記回動連結部Ｐは、止め具Ｓの基部と支持枠Ｍの基部のうちの何れか一方（図示例では止め具Ｓの縦板部Ｓｂの下端部）に一体に設けた係合凸部Ｐａと、その何れか他方（図示例では支持枠Ｍの起立枠部Ｍｍ及び外枠部Ｍｏとの境界部）に設けた係合凹部Ｐｂとより構成される。
【００２３】
その係合凸部Ｐａは、止め具Ｓの回動支点となる回動支点部５と、その回動支点部５の一側に連設される係止爪部６とを備えており、一方、前記係合凹部Ｐｂは、前記回動支点部５を抜差可能に受容すると共に該回動支点部５の回動を案内する案内孔部７と、その案内孔部７の内面（図示例では水平底面７ｈ）に直接開口して係止爪部６が係脱し得る係合孔部８とを備える。
【００２４】
前記係止爪部６及び係合孔部８は、止め具Ｓが解放位置Ｓ２にあるときには該係止爪部６の少なくとも一部（図示例では大部分）が前記係合孔部８から斜め上方に抜け出して前記回動支点部５の案内孔部６からの離脱を許容し、また同止め具Ｓが前記押え位置Ｓ１にあるときには該係止爪部６の少なくとも一部（図示例では大部分）が前記係合孔部８に留まっていて前記離脱を阻止する形状に形成される。
【００２５】
即ち、回動支点部５は、図示例では横断面扇形をなし、該扇の先細りの要部分が止め具Ｓの回動中心位置に在って、案内孔部７の水平底面７ｈに回動可能に係合することで回動支点機能を発揮する。また係止爪部６は、横断面が回動支点部５における前記扇の外周部に連なる円弧状に形成されていて、その係止爪部６の外周面６ｒが該扇の外周面５ｒと面一に連続した円弧面をなしている。一方、回動支点部５における前記扇の外周面５ｒに摺接し得る案内孔部７の円弧状に立ち上がる内側面７ｒと、係止爪部６の外周面６ｒに摺接し得る係合孔部８の一方の内側面８ｒとが互いに面一に連続した円弧面をなしている。
【００２６】
次に前記実施例の作用を説明する。地面Ｆに設けられた凹所としてのピット溝Ｏの開口部は、その開口部両側の地面Ｆに固定した支持枠Ｍ上に、該開口部を塞ぐ開閉蓋Ｔが載置され、その支持枠Ｍ上に、開閉蓋Ｔが外れないよう該蓋の両外側端部に係合し得る止め具Ｓが、本発明の回動連結部Ｐを介して着脱可能に取付けられる。
【００２７】
その取付けに際しては、先ず、支持枠Ｍ上に、ピット溝Ｏの開口部を塞ぐ開閉蓋Ｔを載置させ、次いで、図３の鎖線に示すように止め具Ｓの係合凸部Ｐａを支持枠Ｍの係合凹部Ｐｂ内に斜め外側方より差し込み、その際に差し込みをスムーズに行うために、係合凹部Ｐｂの案内孔部７及び係合孔部８の円弧面に係合凸部Ｐａの回動支点部５及び係合凸部６の円弧面５ｒ，６ｒを摺接、案内させるようにする。而して止め具Ｓは、斜め外側方に傾いた解放位置Ｓ２に回動連結部Ｐの摩擦で保持される。
【００２８】
しかる後、解放位置Ｓ２にある止め具Ｓを、係合凸部Ｐａの回動支点部５（特に扇形の要部分）回りに押え位置Ｓ１まで内方側に起立回動させ、その最終段階で止め具Ｓの起立回動に連動して、係止機構Ｅの係止爪Ｅｂを弾性変形させつつ支持枠Ｍ側の被係止部Ｅａに弾力的に係止させる。この係止により、止め具Ｓの回動が規制させて止め具Ｓが押え位置Ｓ１に固定されるため、開閉蓋Ｔの外れ止めが確実になされる。
【００２９】
また開閉蓋Ｔを開けるときは、先ず、押え位置Ｓ１にある止め具Ｓを外側に強く回動操作して、係止機構Ｅの係止爪Ｅｂを弾性変形させつつ支持枠Ｍ側の被係止部Ｅａより離脱させ、これにより、止め具Ｓの解放位置Ｓ２への回動が無理なく簡単に行われる。開閉蓋Ｔを一時的に開けるような場合は、止め具Ｓを解放位置Ｓ２に保持したまま開閉蓋Ｔの開閉操作を行えばよく、また開閉蓋Ｔを除去して開けっ放しにしておくような場合は、解放位置Ｓ２にある止め具Ｓを更に斜め上方に引き上げることで、止め具Ｓの係合凸部Ｐａを支持枠Ｍの係合凹部Ｐｂ内より無理なく引き抜くことができる。
【００３０】
而して本実施例によれば、開閉蓋Ｔを支持枠Ｍを介して設置面としての地面Ｆ上に載せ、止め具Ｓを解放位置Ｓ２から押え位置Ｓ１まで回動連結部Ｐ回りに回動させて係止機構Ｅで止め具Ｓを支持枠Ｍに係止させるだけで、止め具Ｓ、延いては開閉蓋Ｔの固定を簡単に行うことができ、また前記係止を解除して止め具Ｓを押え位置Ｓ１から解放位置Ｓ２まで回動させるだけで該止め具Ｓを支持枠Ｍから簡単に離脱させることができる。これにより、工具を特別に用いることなく止め具Ｓを支持枠Ｍにワンタッチ操作で頗る簡単に脱着可能となり、開閉蓋Ｔの開閉作業の能率向上が図られる。
【００３１】
また図示例の係止機構Ｅによれば、弾性係止爪Ｅｂの弾性変形を利用して被係止部Ｅａに対する係脱操作が簡単且つ的確に行われ、しかも止め具Ｓの支持枠Ｍからの外れ方向の外力は、上記回動連結部Ｐで受け止められるため、係止爪Ｅｂと被係止部Ｅａとの係合部の荷重負担が軽減され、それらの耐久性向上が図られる。
【００３２】
また図示例の回動連結部Ｐによれば、止め具Ｓに設けた係合凸部Ｐａが、止め具Ｓに対する回動支点部５と支持枠Ｍに対する係止爪部６とに兼用され、一方、支持枠Ｍに設けた係合凹部Ｐｂが、該回動支点部５の回動を案内する案内孔部７と、係止爪部６が係脱し得る係合孔部８とに兼用されるため、脱着に関して方向性を持たせた止め具Ｓの回動連結部Ｐが簡単な構造で得られ、部品点数の低減によるコスト節減や脱着作業性の向上が図られる。
【００３３】
さらに図示例の回動連結部Ｐによれば、上記回動支点部５が横断面扇形をなし、該扇の要部分が止め具Ｓの回動中心位置に在って、案内孔部７の水平底面７ｈに回動可能に係合することで回動支点機能を発揮し、また上記係止爪部６は、横断面が回動支点部５における前記扇の外周部に連なる円弧状に形成されていて、その係止爪部６の外周面６ｒが該扇の外周面５ｒと面一に連続した円弧面をなしている。一方、回動支点部５における前記扇の外周面５ｒに摺接し得る案内孔部７の円弧状に立ち上がる内側面７ｒと、係止爪部６の外周面６ｒに摺接し得る係合孔部８の一方の内側面８ｒとが互いに面一に連続した円弧面をなしていることから、全体として上記係合凸部Ｐａおよび係合凹部Ｐｂの形状単純化が図られ、コスト節減や脱着作業性の向上が図られる。
【００３４】
また特に支持枠Ｍには、開閉蓋Ｔの裏面を載置させる弾性シート３付きの座面が設けられ、また止め具Ｓの先部裏面には、開閉蓋Ｔの表面を当接させる弾性シート４付きの押え面が設けられるので、止め具Ｓのセット状態では開閉蓋Ｔを、支持枠Ｍの座面と止め具Ｓの押え面との間でガタなく強固に保持することができ、しかもその保持部のシール性が弾性シートにより良好に保たれる。
【００３５】
次に図４を参照して、本発明の第２実施例を説明する。この実施例では、開閉蓋Ｔの厚みが第１実施例のものよりも厚く形成されており、これに対応して止め具Ｓが、支持枠Ｍの起立枠部Ｍｍに沿う縦板部Ｓｂを起立枠部Ｍｍよりも上方に長く延出させている。そして止め具Ｓを支持枠Ｍに係脱可能に係止させる係止機構Ｅは、支持枠Ｍの起立枠部Ｍｍの上面に一体に設けた上向き突起状の被係止部Ｅａと、止め具Ｓの縦板部Ｓｂの中間部内面に一体に設けた下向き鉤状の弾性係止爪Ｅｂとで構成されていて、その係止爪Ｅｂの弾性変形により該係止爪Ｅｂが被係止部Ｅａに係脱できるようになっている。尚、この第２実施例の弾性係止爪Ｅｂも、先の実施例と同様、止め具Ｓの長手方向に長く帯状に形成してもよいし、或いは止め具Ｓの長手方向に間隔をおいて複数個、形成してもよい。その他の構成は、先の実施例と同様であるので、対応する構成要素に先の実施例と同様の参照符号を付すに留め、これ以上の説明は省略する。
【００３６】
而して、この第２実施例でも、先の実施例と同様の作用効果が期待できる。
【００３７】
以上、本発明の実施例について説明したが、本発明はその実施例に限定されることなく、本発明の範囲内で種々の実施例が可能である。
【００３８】
例えば前記実施例では、本発明の凹所としてピット溝Ｏを例示し、同じく設置面としてピット溝Ｏが設けられる地面Ｆを例示したが、本発明は、ピット溝以外の凹所（例えば排水溝等の凹溝や、マンホール等の凹孔、液槽等の容器の内部空間）の開口部を塞ぐ開閉蓋の外れ止め装置に実施してもよく、その場合には、該凹所が設けられる建物の天井面や床面、液槽その他の容器の上面が本発明の設置面となる。
【００３９】
また前記実施例では、凹所としてピット溝Ｏの長手方向に長い止め具Ｓを使用し、そのピット溝Ｏの長手方向に縦列配置される複数の開閉蓋Ｔに対する共通の外れ止め手段としたものを示したが、本発明では、一個の開閉蓋Ｔの一側部に対し１個の止め具Ｓを使用してもよいし、或いは複数個の止め具Ｓを相互に間隔をおいて使用してもよい。
【００４０】
また前記実施例では、開閉蓋Ｔを設置面としての地面Ｆに支持枠Ｍを介して載置させたものを示したが、本発明では、開閉蓋Ｔを設置面としての地面Ｆに直接載置させるようにしてもよく、この場合は、支持枠Ｍにおける内枠部Ｍｉは省略可能である。
【図面の簡単な説明】
【００４１】
【図１】本発明の第１実施例に係る溝蓋のピット溝へのセット状態を示す一部破断斜視図
【図２】溝蓋の平面図（図１の２矢視拡大図）
【図３】図２の３−３線拡大断面図
【図４】本発明の第２実施例を示す、図３に対応した断面図
【図５】従来例を示す、図３に対応した断面図
【符号の説明】
【００４２】
Ｅ・・・係止機構
Ｅａ・・被係止部
Ｅｂ・・弾性係止爪
Ｆ・・・設置面としての地面
Ｍ・・・支持枠
Ｏ・・・凹所としてのピット溝
Ｐ・・・回動連結部
Ｐａ・・係合凸部
Ｐｂ・・係合凹部
Ｓ・・・止め具
Ｓ１・・押え位置
Ｓ２・・解放位置
Ｔ・・・開閉蓋
３・・・弾性シート
４・・・弾性シート
５・・・回動支点部
５ｒ・・扇の外周面
６・・・係止爪部
６ｒ・・係止爪部の外周面
７・・・案内孔部
７ｈ・・内面としての水平底面
７ｒ・・内側面
８・・・係合孔部
８ｒ・・内側面
【図１】
2007186932.tif 000003
【図２】
2007186932.tif 000004
【図３】
2007186932.tif 000005
【図４】
2007186932.tif 000006
【図５】
2007186932.tif 000007